(57)【特許請求の範囲】
【請求項１】
インターネット等の通信回線を介して、情報をＷＥＢページとしてＷＥＢブラウザが搭載された、車両に乗車している利用者の利用者端末に送信する情報送信サーバであって、
車両を運行している各会社の車両毎の運行スケジュールを記憶する運行スケジュールデータベースと、
各地域の地域情報を記憶する地域情報データベースと、
車両を運行している会社及び車両番号を特定するための情報を含み、現在位置情報を含まない車両特定情報を、前記利用者端末から受信する車両特定情報受信手段と、
前記受信した車両特定情報及び前記運行スケジュールデータベースに記憶された運行スケジュールに基づいて、該車両特定情報により特定される車両の運行位置を求める運行位置特定手段と、
前記求めた運行位置に基づいて前記地域情報データベースに記憶された地域情報を検索し、検索の結果特定された地域情報を前記利用者端末に送信する地域情報送信手段とを有することを特徴とする情報送信サーバ。
【請求項２】
請求項１に記載の情報送信サーバにおいて、
管制センターから車両の遅延情報を受信する遅延情報受信手段をさらに備え、
前記運行位置特定手段は、前記受信した車両特定情報、前記運行スケジュールに加え、前記受信した遅延情報に基づいて、該車両特定情報により特定される車両の、運行位置を求めることを特徴とする情報送信サーバ。
【請求項３】
請求項１又は請求項２に記載の情報送信サーバにおいて、車両を特定するための車両特定情報を、前記利用者端末から一定時間毎に受信することを特徴とする情報送信サーバ。
【請求項４】
請求項１乃至請求項３のいずれか１項に記載の情報送信サーバにおいて、
前記車両特定情報受信手段は、前記利用者端末から前記車両特定情報が記録されたクッキーを受信することを特徴とする情報送信サーバ。
【請求項５】
車両に乗車している利用者の利用者端末に対して情報を送信する情報送信サーバであって、
車両を運行している各会社の車両毎の運行スケジュールを記憶するデータベースと、
各地域の地域情報を記憶する地域情報データベースと、
車両を運行している会社及び車両番号を特定するための情報を含み、現在位置情報を含まない車両特定情報を、前記利用者端末から受信する車両特定情報受信手段と、
前記受信した車両特定情報、及び、前記運行スケジュールデータベースに記憶された運行スケジュールに基づいて、該車両特定情報により特定される車両の運行位置を求める運行位置特定手段と、
前記求めた運行位置に基づいて前記地域情報データベースに記憶された地域情報を検索し、検索の結果特定された地域情報を前記利用者端末に送信する地域情報送信手段とを有することを特徴とする情報送信サーバ。
【請求項６】
請求項５に記載の情報送信サーバにおいて、
車両の遅延情報を受信する遅延情報受信手段をさらに備え、
前記運行位置特定手段は、前記受信した車両特定情報、前記運行スケジュールに加え、前記受信した遅延情報に基づいて、該車両特定情報により特定される車両の、運行位置を求めることを特徴とする情報送信サーバ。
【請求項７】
請求項１乃至請求項６のいずれか１項に記載の情報送信サーバにおいて、前記地域情報は広告情報であることを特徴とする情報送信サーバ。
【請求項８】
インターネット等の通信回線を介して、情報をＷＥＢページとしてＷＥＢブラウザが搭載された利用者端末に送信する情報送信方法であって、
サーバが、車両を運行している会社及び車両番号を特定するための情報を含み、現在位置情報を含まない車両特定情報を、前記利用者端末から受信するステップと、
サーバが、前記受信した車両特定情報と、予め記憶した車両を運行している各会社の車両毎の運行スケジュールとに基づいて、該車両特定情報により特定される車両の、運行位置を求めるステップと、
サーバが、前記求めた運行位置に基づいて予め記憶した地域情報を検索し、検索の結果特定された地域情報を前記利用者端末に送信するステップとを有することを特徴とする情報送信方法。
【請求項９】
車両に乗車している利用者の利用者端末に対して情報を送信する情報送信方法であって、
サーバが、車両を運行している会社及び車両番号を特定するための情報を含み、現在位置情報を含まない車両特定情報を、前記利用者端末から受信するステップと、
サーバが、前記受信した車両特定情報と、予め記憶した車両を運行している各会社の車両毎の運行スケジュールとに基づいて、該車両特定情報により特定される車両の運行位置を求めるステップと、
サーバが、前記求めた運行位置に基づいて予め地域情報を検索し、検索の結果特定された地域情報を前記利用者端末に送信するステップとを有することを特徴とする情報送信方法。
【発明の詳細な説明】
【０００１】
【発明の属する技術分野】
本発明は、情報送信サーバ及び情報送信方法に関する。
【０００２】
【従来の技術】
現在、山手線等の鉄道車両においては、車載の表示機器にて各種ニュースや、広告情報等が表示されており、乗客は、該表示機器に表示された各種ニュース等を閲覧することができるようになっている。
【０００３】
【発明が解決しようとする課題】
例えば、前述した表示機器に表示されるニュース等は、該表示機器が設けられた車両の運行状況に即したものとはなっていない。例えば、特定の山手線車両が渋谷から原宿へ向かっている場合であっても、原宿から代々木に向かっている場合であっても、同じニュースが表示機器に表示されている場合もある。
【０００４】
したがって、渋谷から原宿に向かっている山手線に乗車している乗客が、次の停車駅である原宿に関する情報を得たいと望んでも、そのような情報を車載の表示機器からは得ることができない。
【０００５】
本発明は、かかる課題を解決するためになされたものであり、乗客が、各車両の運行状況に即した地域情報を得ることのできる情報送信サーバ及び情報送信方法を提供することを目的とする。
【０００６】
【課題を解決するための手段】
前記目的を達成するための第１の発明は、インターネット等の通信回線を介して、情報をＷＥＢページとしてＷＥＢブラウザが搭載された、車両に乗車している利用者の利用者端末に送信する情報送信サーバであって、
車両を運行している各会社の車両毎の運行スケジュールを記憶する運行スケジュールデータベースと、
各地域の地域情報を記憶する地域情報データベースと、
車両を運行している会社及び車両番号を特定するための情報を含み、現在位置情報を含まない車両特定情報を、前記利用者端末から受信する車両特定情報受信手段と、
前記受信した車両特定情報及び前記運行スケジュールデータベースに記憶された運行スケジュールに基づいて、該車両特定情報により特定される車両の運行位置を求める運行位置特定手段と、
前記求めた運行位置に基づいて前記地域情報データベースに記憶された地域情報を検索し、検索の結果特定された地域情報を前記利用者端末に送信する地域情報送信手段とを有することを特徴とする情報送信サーバである。
【０００７】
前記目的を達成するための第２の発明は、第１の発明に係る情報送信サーバにおいて、管制センターから車両の遅延情報を受信する遅延情報受信手段をさらに備え、
前記運行位置特定手段は、前記受信した車両特定情報、前記運行スケジュールに加え、前記受信した遅延情報に基づいて、該車両特定情報により特定される車両の、運行位置を求めることを特徴とする情報送信サーバである。
【０００８】
前記目的を達成するための第３の発明は、第１又は第２の発明に係る情報送信サーバにおいて、車両を特定するための車両特定情報を、前記利用者端末から一定時間毎に受信することを特徴とする情報送信サーバである。
【００１０】
前記目的を達成するための第４の発明は、第１乃至第３のいずれかの発明に係る情報送信サーバにおいて、前記車両特定情報受信手段は、前記利用者端末から前記車両特定情報が記録されたクッキーを受信することを特徴とする情報送信サーバである。
【００１１】
前記目的を達成するための第５の発明は、車両に乗車している利用者の利用者端末に対して情報を送信する情報送信サーバであって、
車両を運行している各会社の車両毎の運行スケジュールを記憶するデータベースと、
各地域の地域情報を記憶する地域情報データベースと、
車両を運行している会社及び車両番号を特定するための情報を含み、現在位置情報を含まない車両特定情報を、前記利用者端末から受信する車両特定情報受信手段と、
前記受信した車両特定情報、及び、前記運行スケジュールデータベースに記憶された運行スケジュールに基づいて、該車両特定情報により特定される車両の運行位置を求める運行位置特定手段と、
前記求めた運行位置に基づいて前記地域情報データベースに記憶された地域情報を検索し、検索の結果特定された地域情報を前記利用者端末に送信する地域情報送信手段とを有することを特徴とする情報送信サーバである。
【００１２】
前記目的を達成するための第６の発明は、第５の発明に係る情報送信サーバにおいて、車両の遅延情報を受信する遅延情報受信手段をさらに備え、
前記運行位置特定手段は、前記受信した車両特定情報、前記運行スケジュールに加え、前記受信した遅延情報に基づいて、該車両特定情報により特定される車両の、運行位置を求めることを特徴とする情報送信サーバである。
【００１４】
前記目的を達成するための第７の発明は、第１乃至第６のいずれかの発明に係る情報送信サーバにおいて、を前記地域情報は広告情報であることを特徴とする情報送信サーバである。
【００１５】
前記目的を達成するための第８の発明は、イインターネット等の通信回線を介して、情報をＷＥＢページとしてＷＥＢブラウザが搭載された利用者端末に送信する情報送信方法であって、
サーバが、車両を運行している会社及び車両番号を特定するための情報を含み、現在位置情報を含まない車両特定情報を、前記利用者端末から受信するステップと、
サーバが、前記受信した車両特定情報と、予め記憶した車両を運行している各会社の車両毎の運行スケジュールとに基づいて、該車両特定情報により特定される車両の、運行位置を求めるステップと、
サーバが、前記求めた運行位置に基づいて予め記憶した地域情報を検索し、検索の結果特定された地域情報を前記利用者端末に送信するステップとを有することを特徴とする情報送信方法である。
【００１６】
前記目的を達成するための第９の発明は、車両に乗車している利用者の利用者端末に対して情報を送信する情報送信方法であって、
サーバが、車両を運行している会社及び車両番号を特定するための情報を含み、現在位置情報を含まない車両特定情報を、前記利用者端末から受信するステップと、
サーバが、前記受信した車両特定情報と、予め記憶した車両を運行している各会社の車両毎の運行スケジュールとに基づいて、該車両特定情報により特定される車両の運行位置を求めるステップと、
サーバが、前記求めた運行位置に基づいて予め地域情報を検索し、検索の結果特定された地域情報を前記利用者端末に送信するステップとを有することを特徴とする情報送信方である。
【００１７】
【発明の実施の形態】
＝＝＝システム構成＝＝＝
まず、本実施の形態に係るシステム構成を、図１を用いて説明する。図１は、本実施の形態を説明するためのシステム構成図である。
【００１８】
図１に示すように、複数の利用者端末１０ａ、１０ｂ等が、インターネット等の通信回線２０を介して、サーバ３０に接続している。なお、通信回線とは、端末間で双方から通信可能な有線又は無線を意味する。
【００１９】
利用者端末１０ａ等は、鉄道等の車両に乗車している乗客が携帯する端末であり、サーバ３０に設けられたＷＷＷページを閲覧するためのＷＷＷブラウザが設けられている。本実施の形態では、サーバ３０に設けられたＷＷＷページ３８を用いて各種地域情報の提供を行う。なお、このＷＷＷページは、ＨＴＭＬ(Hyper Text Markup Language)等のマークアップ言語を用いて記述されている。
【００２０】
サーバ３０には、各車両の運行スケジュールを記憶する運行スケジュールデータベース３２、各車両の遅延情報を記憶する遅延情報データベース３４、各地域の各種情報を記憶した地域情報データベース３６、及び、ＷＷＷページ３８が設けられている。
【００２１】
運行スケジュールデータベース３２には、各鉄道会社の車両毎の時刻表が記憶されている。なお、各鉄道会社の車両毎の時刻表に加えて、又は替えて、各バス会社の車両毎の時刻表や、各船舶会社の船舶毎の時刻表等を記憶してもよい。
【００２２】
遅延情報データベース３４には、各鉄道会社の管制センター４０から送信される遅延情報が記憶されている。例えば、ＪＲ根岸線の上り電車が３０分遅れで運行している等の情報が、管制センター４０から、通信回線２０を介してサーバ３０へ送信される。サーバ３０は、定期的に遅延情報を受信し、遅延情報データベース３４をその都度更新する。
【００２３】
地域情報データベース３６には、各地域に存在する商店の広告情報や、各地域にて行われる催し物等の、地域に密着した情報が、地域毎に記憶されている。例えば、地域「渋谷区」に関して、東急ハンズ渋谷店にて行われるバーゲン情報、渋谷１０９特設スタジオで行われるイベント情報等が記憶されている。
【００２４】
＝＝＝処理の流れ＝＝＝
次に本実施の形態における処理の流れを、図２をも参照しつつ説明する。図２は、サーバ３０における処理の流れを説明するための図である。
【００２５】
まず、サーバ３０は、各車両の運行スケジュールを運行スケジュールデータベース３２に記憶する（Ｓ１）。運行スケジュールデータベース３２には、各鉄道会社の車両毎の電子化された時刻表等が記憶される。
【００２６】
また、サーバ３０は、各地域の地域情報を地域情報データベース３６に記憶する（Ｓ３）。さらに、サーバ３０は、管制センター４０から通信回線２０を介して、車両の遅延情報を定期的に受信する（Ｓ５）。
【００２７】
利用者端末１０ａ等から、最初にＷＷＷページ３８の閲覧要求がサーバ３０に対してなされた際に、サーバ３０は、レスポンスメッセージとともにクッキーを、利用者端末１０ａ等へ送信し、利用者端末１０ａ等により受信されたクッキーは、該利用者端末１０ａ等に保存される。このクッキーには、閲覧要求を送信した利用者端末１０ａ等が設けられた車両に関して、鉄道会社名等の車両を運行している会社情報、車両番号等が記録されている。
【００２８】
このようにしてクッキーの保存された利用者端末１０ａ等を携帯する乗客が乗車している車両が運行を開始すると、該利用者端末１０ａ等から、サーバ３０に対してＷＷＷページ３８の閲覧要求がなされ、その際、サーバ３０は、該利用者端末１０ａ等からクッキーを受信する。前述したようにクッキーには、鉄道会社名、車両番号等が記録されているので、サーバ３０は、車両を特定する車両特定情報としての、該鉄道会社名、該車両番号等を受信する（Ｓ７）。
【００２９】
次に、サーバ３０は、受信した車両特定情報、記憶した運行スケジュール、及び、受信した遅延情報に基づいて、該車両特定情報により特定される車両の運行位置を求める（Ｓ９）。具体的には、鉄道会社名と車両番号とにより車両を特定し、特定された車両の時刻表を運行スケジュールデータベース３２に記憶された時刻表から検索し、検索された時刻表を遅延情報データベース３４に記憶された遅延情報を参照して補正することにより、該車両が、現在どの位置を運行しているかを認識する。これにより、サーバ３０は、例えば、車両が渋谷から原宿に向かって走行していること等を認識する。
【００３０】
次に、サーバ３０は、車両の運行位置に基づいて地域情報を検索し、検索の結果特定された地域情報を利用者端末１０ａ等に送信する（Ｓ１１）。具体的には、車両の運行位置から、該車両の次の停車駅を求め、該停車駅周辺地域の地域情報を地域情報データベース３６から検索し、検索の結果特定された地域情報をもとにＷＷＷページ３８を生成し、該ＷＷＷページ３８を構成するＨＴＭＬファイルを利用者端末１０ａ等に送信する。例えば、車両が渋谷を出発して原宿に向かっている場合には、原宿駅周辺の地域情報を地域情報データベース３６から検索して、検索の結果特定された地域情報をもとにＷＷＷページ３８を生成し、該ＷＷＷページ３８をＨＴＭＬファイルとして利用者端末１０ａ等に送信する。送信されたＨＴＭＬファイルは、利用者端末１０ａ等に設けられたブラウザにより乗客に対して閲覧可能とされる。
【００３１】
なお、利用者端末１０ａ等からサーバ３０に対して定期的に車両特定情報が送信される構成であれば、クッキーを用い無くてもよい。また、例えば、サーバ３０に入力用ＷＷＷページ３９を設けておき、乗客が、利用者端末１０ａから該ＷＷＷページ３９に鉄道会社名、乗車駅名、乗車時刻、鉄道の進行方向等を記入するようにすることとしてもよい。このようにすれば、該記入に基づいて、サーバ３０は、クッキーを用いることなく乗客が乗車している車両を特定して、前述したＷＷＷページ３８を生成することが可能となる。
【００３２】
以上説明した処理をサーバ３０に実行させるプログラムを、コンピュータ読取可能な記録媒体に記録することも可能である。また、以上説明した処理をサーバ３０に実行させるプログラムを、サーバ３０が、通信回線を介してダウンロードすることも可能である。
【００３３】
【発明の効果】
本発明によれば、乗客が、各車両の運行状況に即した地域情報を得られるようにすることが可能となる。特に、ＧＰＳ(Global Positioning System)等の仕組みを用いる必要が無いから、その分車載端末の構成を簡易なものとすることができる。
【図面の簡単な説明】
【図１】本実施の形態を説明するためのシステム構成図である。
【図２】サーバ３０における処理の流れを説明するための図である。
【符号の説明】
１０ａ、１０ｂ、１０ｃ、…１０ｎ  利用者端末
２０  通信回線
３０  サーバ
３２  運行スケジュールデータベース
３４  遅延情報データベース
３６  地域情報データベース
３８  ＷＷＷページ
３９  入力用ＷＷＷページ
４０  管制センタ−
【図１】
0004579432.tif 000002
【図２】
0004579432.tif 000003